(57)【特許請求の範囲】
【請求項１】
既設枠を残した建物の開口部に取り付けられた新設枠に対して、額縁部材を取り付ける取付構造であって、
前記額縁部材は、左右方向に沿って配置される第１額縁部材と、上下方向に沿って配置される第２額縁部材とを備え、
前記第１額縁部材及び前記第２額縁部材の一方の額縁部材と前記新設枠とには、当該新設枠に当該一方の額縁部材を仮固定する第１仮固定部が設けられ、
前記一方の額縁部材には、前記第１仮固定部にて当該一方の額縁部材が前記新設枠に仮固定された状態で前記新設枠に対向し、連結具にて前記新設枠に連結される第１連結壁部が設けられ、
前記一方の額縁部材と他方の額縁部材とには、当該一方の額縁部材に当該他方の額縁部材を仮固定する第２仮固定部が設けられ、
前記他方の額縁部材には、前記第２仮固定部にて当該他方の額縁部材が前記一方の額縁部材に仮固定された状態で前記新設枠に対向し、連結具にて前記新設枠に連結される第２連結壁部が設けられている
ことを特徴とする額縁部材の取付構造。
【請求項２】
前記第１連結壁部は、前記第１仮固定部にて前記一方の額縁部材が前記新設枠に仮固定された状態で前記新設枠の見付け面に対向し、連結具にて当該見付け面に連結され、
前記第２連結壁部は、前記第２仮固定部にて前記他方の額縁部材が前記一方の額縁部材に仮固定された状態で前記新設枠の見付け面に対向し、連結具にて当該見付け面に連結される
ことを特徴とする請求項１に記載の額縁部材の取付構造。
【請求項３】
前記第１仮固定部は、前記新設枠の天面を構成する新設上壁部及び前記第１額縁部材の一方に設けられる第１突起部と、前記新設上壁部及び前記第１額縁部材の他方に設けられ、前記第１突起部が挿入されて当該第１突起部に係合する第１係合受け部とを備える
ことを特徴とする請求項１または２に記載の額縁部材の取付構造。
【請求項４】
前記第１仮固定部は、前記第１額縁部材及び前記新設枠に設けられ、
前記第１額縁部材には、上下方向に対向する一対の第１挟持用壁部が設けられ、
前記第２額縁部材には、前記第１額縁部材を内部に挿入するためのインロウ用切欠と、上下方向に対向する一対の第２挟持用壁部とが設けられ、
前記一対の第１挟持用壁部は、前記インロウ用切欠を介して前記第１額縁部材が前記第２額縁部材の内部に挿入された際に、前記一対の第２挟持用壁部の間に挿入されて当該一対の第２挟持用壁部にそれぞれ対向し、
前記第２仮固定部は、前記一対の第１挟持用壁部及び前記一対の第２挟持用壁部の一方にそれぞれ設けられる第２突起部と、前記一対の第１挟持用壁部及び前記一対の第２挟持用壁部の他方にそれぞれ設けられ、前記第２突起部が挿入されて当該第２突起部に係合する第２係合受け部とを備える
ことを特徴とする請求項１〜３のいずれか一つに記載の額縁部材の取付構造。
【請求項５】
前記第１仮固定部は、前記新設枠の見付け面を構成する新設見付け壁部及び前記第２額縁部材の一方に設けられる第１突起部と、前記新設見付け壁部及び前記第２額縁部材の他方に設けられ、前記第１突起部に係合する第１係合受け部とを備える
ことを特徴とする請求項１または２に記載の額縁部材の取付構造。
【請求項６】
前記第１仮固定部は、見込み方向から見た場合に、前記既設枠と外壁との接合部よりも内周側に設けられている
ことを特徴とする請求項１〜５のいずれか一つに記載の額縁部材の取付構造。
【請求項７】
前記他方の額縁部材には、当該他方の額縁部材の開口端部に装着可能とするキャップ部材が設けられ、
前記第２仮固定部は、前記一方の額縁部材及び前記キャップ部材に設けられ、前記他方の額縁部材の開口端部側が切断され、当該切断後の開口端部に前記キャップ部材が装着された状態で、見込み方向から見た場合に、前記既設枠と外壁との接合部よりも内周側に設けられている
ことを特徴とする請求項１〜６のいずれか一つに記載の額縁部材の取付構造。
【請求項８】
既設枠を残した建物の開口部に取り付けられた新設枠に対して、額縁部材を取り付ける取付方法であって、
前記額縁部材は、左右方向に沿って配置される第１額縁部材と、上下方向に沿って配置される第２額縁部材とを備え、
当該取付方法は、
前記新設枠に対して、前記第１額縁部材及び前記第２額縁部材の一方の額縁部材を仮固定する工程と、
前記新設枠に対して前記一方の額縁部材を仮固定した後、前記新設枠に対向する前記一方の額縁部材の第１連結壁部を連結具にて前記新設枠に連結する工程と、
前記一方の額縁部材に対して、前記第１額縁部材及び前記第２額縁部材の他方の額縁部材を仮固定する工程と、
前記一方の額縁部材に対して前記他方の額縁部材を仮固定した後、前記新設枠に対向する前記他方の額縁部材の第２連結壁部を連結具にて前記新設枠に連結する工程とを含む
ことを特徴とする額縁部材の取付方法。
【発明の詳細な説明】
【技術分野】
【０００１】
本発明は、玄関ドア等の建具を改装する場合に適用する額縁部材の取付構造、及び額縁部材の取付方法に関する。
【背景技術】
【０００２】
玄関ドア等の建具を改装する方法としては、工期短縮やコストの削減を図るため、既設枠を残したまま建物の躯体（開口部）に新設枠を取り付けるようにした方法が提供されている。そして、建物に残した既設枠については、新設枠に取り付けた額縁部材によって覆い隠すことができるため、外観品質が損なわれるおそれがない。
ここで、額縁部材は、上枠を覆う上額縁部材と縦枠を覆う左右の縦額縁部材とが個別に設けられており、これらを予め門型に組み立てた状態で建物に取り付けるのが一般的である。すなわち、額縁部材を建物に取り付ける場合には、先ず、上額縁部材の両端部を縦額縁部材に当接させ、この状態から縦額縁部材を介して上額縁部材のビスホールに連結ネジを螺合させることで予め３つの額縁部材を門型に組み立てた状態とする。この門型の額縁部材を建物に配置し、それぞれの額縁部材を新設枠にネジ止めすれば、額縁部材が建物に取り付けられる（例えば、特許文献１参照）。
【先行技術文献】
【特許文献】
【０００３】
【特許文献１】特開２００５−１３９６７３号公報
【発明の概要】
【発明が解決しようとする課題】
【０００４】
上記のように、予め門型に構成した額縁部材を建物に設置する方法によれば、建物に設置した状態で額縁部材の相互間を連結する作業が不要となる。このため、改装する玄関が入隅にある場合等、周囲に十分な作業スペースを確保することのできない建物に対しても額縁部材を取り付けることが可能となる。また、上述の取付構造によれば、縦額縁部材の見込み面から連結ネジを螺合しているため、額縁部材の見付け面に連結ネジが露出することはなく、外観品質の観点からも有利となる。
しかしながら、門型に構成した額縁部材は、それぞれを個別に取り扱う場合に比べて外形寸法及び重量が大きなものとなるため、複数人が協働しなければ建物に設置することができない事態が生じ得る。また、改装する玄関に風除室が設けられている状況にあっては、門型に構成した額縁部材を風除室の内部に搬入することが困難となる場合もある。
【０００５】
本発明は、上記実情に鑑みて、改装する建物の状況に関わらず額縁部材の取付作業を容易に行うことができる額縁部材の取付構造、及び額縁部材の取付方法を提供することを目的とする。
【課題を解決するための手段】
【０００６】
上記目的を達成するため、本発明に係る額縁部材の取付構造は、既設枠を残した建物の開口部に取り付けられた新設枠に対して、額縁部材を取り付ける取付構造であって、前記額縁部材は、左右方向に沿って配置される第１額縁部材と、上下方向に沿って配置される第２額縁部材とを備え、前記第１額縁部材及び前記第２額縁部材の一方の額縁部材と前記新設枠とには、当該新設枠に当該一方の額縁部材を仮固定する第１仮固定部が設けられ、前記一方の額縁部材には、前記第１仮固定部にて当該一方の額縁部材が前記新設枠に仮固定された状態で前記新設枠に対向し、連結具にて前記新設枠に連結される第１連結壁部が設けられ、前記一方の額縁部材と他方の額縁部材とには、当該一方の額縁部材に当該他方の額縁部材を仮固定する第２仮固定部が設けられ、前記他方の額縁部材には、前記第２仮固定部にて当該他方の額縁部材が前記一方の額縁部材に仮固定された状態で前記新設枠に対向し、連結具にて前記新設枠に連結される第２連結壁部が設けられていることを特徴とする。
【０００７】
本発明によれば、左右方向に沿って配置される第１額縁部材と上下方向に沿って配置される第２額縁部材とを個別に取り扱うことができるため、外形寸法や重量が大きくなることに起因した問題を招来することがない。しかも、第１，第２額縁部材を連結具にて新設枠にそれぞれ連結する際に、第１仮固定部を利用して一方の額縁部材を新設枠に仮固定することができ、かつ、第２仮固定部を利用して他方の額縁部材を当該一方の額縁部材に仮固定することができる。このため、例えば、一人で額縁部材の取付作業を行う場合であっても、第１，第２額縁部材を一方の手で押さえながら他方の手により連結具で新設枠にそれぞれ連結する作業を行う必要がなく、額縁部材の取付作業を容易に行うことができる。
【０００８】
また、本発明は、上述した額縁部材の取付構造において、前記第１連結壁部は、前記第１仮固定部にて前記一方の額縁部材が前記新設枠に仮固定された状態で前記新設枠の見付け面に対向し、連結具にて当該見付け面に連結され、前記第２連結壁部は、前記第２仮固定部にて前記他方の額縁部材が前記一方の額縁部材に仮固定された状態で前記新設枠の見付け面に対向し、連結具にて当該見付け面に連結されることを特徴とする。
【０００９】
本発明では、新設枠に連結するための第１，第２連結壁部は、第１，第２額縁部材が仮固定された状態で新設枠の見付け面に対向する。このため、第１，第２連結壁部及び新設枠の見付け面を容易に連結具にて連結することができる。しかも、新設枠の見付け面に連結具で連結するように構成しているため、入隅等、周囲に十分な作業スペースを確保することができない建物に対しても容易に取り付けることができる。
【００１０】
また、本発明は、上述した額縁部材の取付構造において、前記第１仮固定部は、前記新設枠の天面を構成する新設上壁部及び前記第１額縁部材の一方に設けられる第１突起部と、前記新設上壁部及び前記第１額縁部材の他方に設けられ、前記第１突起部が挿入されて当該第１突起部に係合する第１係合受け部とを備えることを特徴とする。
【００１１】
本発明によれば、第１仮固定部が新設枠の新設上壁部及び第１額縁部材に設けられているため、新設上壁部に第１額縁部材を載せるように配置すれば、第１仮固定部にて新設枠に対して第１額縁部材を容易に仮固定することができる。
【００１２】
また、本発明は、上述した額縁部材の取付構造において、前記第１仮固定部は、前記第１額縁部材及び前記新設枠に設けられ、前記第１額縁部材には、上下方向に対向する一対の第１挟持用壁部が設けられ、前記第２額縁部材には、前記第１額縁部材を内部に挿入するためのインロウ用切欠と、上下方向に対向する一対の第２挟持用壁部とが設けられ、前記一対の第１挟持用壁部は、前記インロウ用切欠を介して前記第１額縁部材が前記第２額縁部材の内部に挿入された際に、前記一対の第２挟持用壁部の間に挿入されて当該一対の第２挟持用壁部にそれぞれ対向し、前記第２仮固定部は、前記一対の第１挟持用壁部及び前記一対の第２挟持用壁部の一方にそれぞれ設けられる第２突起部と、前記一対の第１挟持用壁部及び前記一対の第２挟持用壁部の他方にそれぞれ設けられ、前記第２突起部が挿入されて当該第２突起部に係合する第２係合受け部とを備えることを特徴とする。
【００１３】
本発明では、インロウ用切欠を介して第２額縁部材の内部に第１額縁部材を挿入するように当該第２額縁部材を移動させれば、一対の第２挟持用壁部が一対の第１挟持用壁部にそれぞれ対向する。そして、第２突起部は、第２係合受け部に挿入され、当該第２係合受け部に係合する。このため、第１額縁部材に対して第２額縁部材を容易に仮固定することができる。しかも、一対の第２挟持用壁部にて一対の第１挟持用壁部を挟持することができ、当該仮固定の状態を安定に維持することができる。
【００１４】
また、本発明は、上述した額縁部材の取付構造において、前記第１仮固定部は、前記新設枠の見付け面を構成する新設見付け壁部及び前記第２額縁部材の一方に設けられる第１突起部と、前記新設見付け壁部及び前記第２額縁部材の他方に設けられ、前記第１突起部に係合する第１係合受け部とを備えることを特徴とする。
【００１５】
本発明によれば、第１仮固定部が新設枠の見付け面（新設見付け壁部）及び第２額縁部材に設けられているため、当該見付け面に第２額縁部材を移動させるだけで、第１仮固定部を構成する第１突起部及び第１係合受け部を互いに係合させることができる。このため、第１仮固定部にて新設枠に対して第２額縁部材を容易に仮固定することができる。
【００１６】
また、本発明は、上述した額縁部材の取付構造において、前記第１仮固定部は、見込み方向から見た場合に、前記既設枠と外壁との接合部よりも内周側に設けられていることを特徴とする。
【００１７】
本発明によれば、第１仮固定部が上述した位置に設けられているため、例えば、軒天や外壁に干渉しないように額縁部材（第１，第２額縁部材）を切断した場合であっても、第１仮固定部を利用して新設枠に対して一方の額縁部材を安定に仮固定することができる。
【００１８】
また、本発明は、上述した額縁部材の取付構造において、前記他方の額縁部材には、当該他方の額縁部材の開口端部に装着可能とするキャップ部材が設けられ、前記第２仮固定部は、前記一方の額縁部材及び前記キャップ部材に設けられ、前記他方の額縁部材の開口端部側が切断され、当該切断後の開口端部に前記キャップ部材が装着された状態で、見込み方向から見た場合に、前記既設枠と外壁との接合部よりも内周側に設けられていることを特徴とする。
【００１９】
本発明によれば、第２仮固定部が上述した位置に設けられているため、例えば、軒天や外壁に干渉しないように他方の額縁部材を切断した場合であっても、第２仮固定部を利用して一方の額縁部材に対して他方の額縁部材を安定に仮固定することができる。
【００２０】
また、本発明に係る額縁部材の取付方法は、既設枠を残した建物の開口部に取り付けられた新設枠に対して、額縁部材を取り付ける取付方法であって、前記額縁部材は、左右方向に沿って配置される第１額縁部材と、上下方向に沿って配置される第２額縁部材とを備え、当該取付方法は、前記新設枠に対して、前記第１額縁部材及び前記第２額縁部材の一方の額縁部材を仮固定する工程と、前記新設枠に対して前記一方の額縁部材を仮固定した後、前記新設枠に対向する前記一方の額縁部材の第１連結壁部を連結具にて前記新設枠に連結する工程と、前記一方の額縁部材に対して、前記第１額縁部材及び前記第２額縁部材の他方の額縁部材を仮固定する工程と、前記一方の額縁部材に対して前記他方の額縁部材を仮固定した後、前記新設枠に対向する前記他方の額縁部材の第２連結壁部を連結具にて前記新設枠に連結する工程とを含むことを特徴とする。
【００２１】
本発明は、上述した額縁部材の取付構造を利用した額縁部材の取付方法であるため、上述した額縁部材の取付構造と同様の作用及び効果を奏する。
【発明の効果】
【００２２】
本発明によれば、左右方向に沿って配置される第１額縁部材と上下方向に沿って配置される第２額縁部材とを個別に取り扱うことができるため、外形寸法や重量が大きくなることに起因した問題を招来することがない。しかも、第１，第２額縁部材を連結具にて新設枠にそれぞれ連結する際に、第１仮固定部を利用して一方の額縁部材を新設枠に仮固定することができ、かつ、第２仮固定部を利用して他方の額縁部材を当該一方の額縁部材に仮固定することができる。このため、例えば、一人で額縁部材の取付作業を行う場合であっても、第１，第２額縁部材を一方の手で押さえながら他方の手により連結具で新設枠にそれぞれ連結する作業を行う必要がなく、額縁部材の取付作業を容易に行うことができる。
【図面の簡単な説明】
【００２３】
【図１】本発明の実施の形態１に係る額縁部材の取付構造を適用した建具の枠部分を室外側から見た図である。
【図２】図１に示した枠部分の要部拡大縦断面図である。
【図３】図１に示した枠部分の要部拡大横断面図である。
【図４】図１及び図２に示した上額縁部材を室内側から見た要部斜視図である。
【図５】図１ないし図３に示した縦額縁部材を室内側から見た要部斜視図である。
【図６】図５に示したキャップ部材を裏面側から見た斜視図である。
【図７】図１に示した額縁部材の取付方法を示す図であって、新設枠に上額縁部材を仮固定する状態を示す斜視図である。
【図８】図７に示した仮固定を行った状態で、上額縁部材が室外側に傾いた状態を実線で、上額縁部材が室内側に傾いた状態を破線で示す縦断面図である。
【図９】図１に示した額縁部材の取付方法を示す図であって、上額縁部材に縦額縁部材を仮固定する状態を示す斜視図である。
【図１０】図９と同様の状態を内周側から見た側面図である。
【図１１】本発明の実施の形態１の効果を説明する図であって、額縁部材が軒天に干渉した状態を示す要部拡大縦断面図である。
【図１２】本発明の実施の形態１の効果を説明する図であって、縦額縁部材が外壁に干渉した状態を示す要部拡大横断面図である。
【図１３】図１１及び図１２に示した額縁部材の取付方法を示す図であって、上額縁部材に縦額縁部材を仮固定する状態を示す要部斜視図である。
【図１４】図１３と同様の状態を内周側から見た側面図である。
【図１５】本発明の実施の形態１に係る第１仮固定部の変形例１を示す縦断面図である。
【図１６】本発明の実施の形態１に係る第１仮固定部の変形例２を示す縦断面図である。
【図１７】本発明の実施の形態２に係る額縁部材の取付構造を適用した建具の要部拡大縦断面図である。
【図１８】図１７に示した上額縁部材を室内側から見た要部斜視図である。
【図１９】図１７に示した縦額縁部材を室内側から見た要部斜視図である。
【図２０】本発明の実施の形態３に係る額縁部材の取付構造を適用した建具の要部拡大縦断面図である。
【図２１】図２０に示した建具の要部拡大横断面図である。
【図２２】図２０及び図２１に示した額縁部材の取付方法を示す図であって、新設枠に縦額縁部材を仮固定する状態を示す斜視図である。
【図２３】図２０及び図２１に示した額縁部材の取付方法を示す図であって、縦額縁部材に上額縁部材を仮固定する状態を示す斜視図である。
【発明を実施するための形態】
【００２４】
以下、添付図面を参照しながら本発明に係る額縁部材の取付構造及び取付方法の好適な実施の形態について詳細に説明する。
【００２５】
（実施の形態１）
図１は、本発明の実施の形態１に係る額縁部材３０の取付構造を適用した建具の枠部分を室外側から見た図である。図２は、図１に示した枠部分の要部拡大縦断面図である。図３は、図１に示した枠部分の要部拡大横断面図である。
ここで例示する建具は、既設の玄関ドアを改装することによって構成した玄関ドアである。以下、便宜上、既設の玄関ドアと改装後の新たな玄関ドアとを区別するため、改装対象となる既設玄関ドアの各構成要素に「既設」という用語を付し、新たに取り付ける玄関ドアの各構成要素に「新設」という用語を付して説明する。
【００２６】
改装対象となる既設玄関ドアは、図２及び図３に示すように、建物の躯体Ｂに固定された既設枠１０に既設ドアパネル（図示略）を開閉可能に支持させることによって構成されていたものである。そして、改装に際しては、既設枠１０のみが建物に残った状態となるように、予め既設ドアパネル（図示略）を取り外してある。
既設枠１０は、既設上枠１１と、左右の既設縦枠１２とを備える。それぞれの既設上枠１１及び既設縦枠１２は、アルミニウム合金によって成形した押し出し形材であり、全長にわたって略一様な断面形状を有している。なお、本実施の形態１で例示する既設枠１０は、既設額縁部材を備えるものではない。
【００２７】
一方、新設玄関ドアは、図１ないし図３に示すように、新設枠２０に新設ドアパネル２１を開閉可能に支持させることによって構成されたものである。
新設枠２０は、新設上枠２２と、左右の新設縦枠２３とを備える。それぞれの新設上枠２２及び左右の新設縦枠２３は、室外側形材２２ａ，２３ａ及び室内側形材２２ｂ，２３ｂと、室外側形材２２ａ，２３ａ及び室内側形材２２ｂ，２３ｂの相互間を連結する断熱部材２２ｃ，２３ｃとを備えて構成されている。それぞれの室外側形材２２ａ，２３ａ及び室内側形材２２ｂ，２３ｂは、アルミニウム合金によって成形した押し出し形材であり、全長にわたって略一様な断面形状を有している。
【００２８】
本実施の形態１では、図２及び図３に示すように、室外側形材２２ａ，２３ａ及び室内側形材２２ｂ，２３ｂを見込方向に沿って並設する姿勢で配置させている。また、新設上枠２２の端部を新設縦枠２３の側面に当接させるようにして新設枠２０を構成しており、新設縦枠２３を介して新設上枠２２のビスホール２２ｄに枠固定ネジ（図示略）を螺合させることによって、新設上枠２２と新設縦枠２３とを互いに連結させている。このように新設上枠２２及び新設縦枠２３を互いに連結した状態では、新設上枠２２の天面及び新設縦枠２３の上端部は、略面一の状態となる。また、新設上枠２２の見付け面及び新設縦枠２３の見付け面も同様に、略面一の状態となる。
そして、新設枠２０は、既設枠１０の内周側となる部位に、室外側に位置する室外側形材２２ａ，２３ａが既設枠１０及び建物の外壁Ｗから室外側に突出した状態で、固定ネジ２４により躯体Ｂ（建物の開口部）に固定されている。
ここで、既設枠１０と新設枠２０との間には、それぞれスペーサＳが介在している。また、既設上枠１１と新設上枠２２との間において、スペーサＳよりも室外側となる部位は、シール材Ｔによって密閉されている。
【００２９】
新設枠２０の天面（新設上枠２２の天面、及び新設縦枠２３の上端部）を構成する新設上壁部２５において、室外側の部位には、図２に示すように、第１係合受け部４１が設けられている。
第１係合受け部４１は、溝部４１ａと、係止片４１ｂとを備える。
溝部４１ａは、新設上壁部２５の全長にわたって略一様な断面形状を有し、上方に開口４１ａ１を有するように下方に向けて窪むように形成されている。
係止片４１ｂは、溝部４１ａを構成する一対の側壁のうち、室外側の側壁の上端部から見込み方向に沿って室内側に突出し、開口４１ａ１の一部を閉塞する。
【００３０】
以上説明した新設枠２０は、図２及び図３に示すように、既設枠１０よりも室外側に突出した部位にて額縁部材３０を保持している。
額縁部材３０は、建物に残した既設枠１０を室外側から覆うためのものであり、新設上枠２２の長手方向に沿って略水平に配置される上額縁部材３１と、新設縦枠２３の長手方向に沿って略鉛直に配置される２つの縦額縁部材３２とを備える。
なお、上額縁部材３１は、本発明に係る第１額縁部材に相当する。また、縦額縁部材３２は、本発明に係る第２額縁部材に相当する。
【００３１】
図４は、図１及び図２に示した上額縁部材３１を室内側から見た要部斜視図である。
上額縁部材３１は、樹脂もしくはアルミニウム合金によって成形した押し出し形材であり、接合壁部３１ａと、第１見付け額縁部３１ｂと、内方見込み額縁部３１ｃと、第２見付け額縁部３１ｄと、外方見込み額縁部３１ｅとを備える。
接合壁部３１ａは、新設上枠２２の室外側に臨む見付け面に接合される部分であり、ネジを螺合するに十分な幅を有するように構成されている。そして、接合壁部３１ａの上下両縁部には、互いに対向するように一対の係合壁部３１ｆが室外側に設けられており、上額縁部材３１の長手方向に沿って延在するビスカバー３３を着脱可能とする。
なお、接合壁部３１ａは、本発明に係る第１連結壁部に相当する。
第１見付け額縁部３１ｂは、上方の係合壁部３１ｆにおける室外側の端部から上方に向けて略直角に屈曲して延在したものである。
【００３２】
内方見込み額縁部３１ｃは、第１見付け額縁部３１ｂにおける上端部から室外側に向けて略直角に屈曲して延在したものである。この内方見込み額縁部３１ｃにおいて、左右方向の両側には、第２係合受け部５１ａがそれぞれ設けられている（図４では室内側から見て左側の１つのみ図示）。
第２係合受け部５１ａは、内方見込み額縁部３１ｃの表裏を貫通した開口であって、上額縁部材３１の長手方向に沿って延びる矩形状の長穴で構成されている。
【００３３】
第２見付け額縁部３１ｄは、内方見込み額縁部３１ｃにおける室外側の端部から上方に向けて延在した部分である。
そして、第１見付け額縁部３１ｂの見付け寸法、及び第２見付け額縁部３１ｄの見付け寸法を足し合わせた寸法は、新設上枠２２の上面から既設上枠１１と外壁Ｗとの接合部までの距離よりも大きく設定されている（図２）。
外方見込み額縁部３１ｅは、第２見付け額縁部３１ｄの上端部から室内側に向けて略直角に屈曲して延在したものである。この外方見込み額縁部３１ｅにおいて、各第２係合受け部５１ａにそれぞれ対向する位置（左右方向の両側）には、第２係合受け部５１ｂがそれぞれ設けられている（図４では室内側から見て左側の１つのみ図示）。
第２係合受け部５１ｂは、第２係合受け部５１ａと同様に、外方見込み額縁部３１ｅの表裏を貫通した開口であって、上額縁部材３１の長手方向に沿って延びる矩形状の長穴で構成されている。
なお、内方見込み額縁部３１ｃ及び外方見込み額縁部３１ｅは、本発明に係る一対の第１挟持用壁部に相当する。
【００３４】
そして、第２見付け額縁部３１ｄ及び外方見込み額縁部３１ｅの内表面には、図２及び図４に示すように、それぞれ複数の折り取り溝３１ｇが形成されている。
折り取り溝３１ｇは、上額縁部材３１の長手方向に沿ってＶ字状の溝を形成することにより構成した薄肉部分である。このため、折り取り溝３１ｇにカッター等の切断工具を押し当てることにより、第２見付け額縁部３１ｄや外方見込み額縁部３１ｅを容易に切断することが可能である。なお、図２では、外方見込み額縁部３１ｅの切断された部分を破線で示している。
【００３５】
また、上額縁部材３１の内表面には、図２及び図４に示すように、第１係合受け部４１の溝部４１ａ（開口４１ａ１）に挿入されて第１係合受け部４１に係合する第１突起部４２が設けられている。
第１突起部４２は、基部４２ａと、係止爪部４２ｂとを備える。
基部４２ａは、接合壁部３１ａを上方に延長した後に室内側に向けて略直角に屈曲し、さらに下方に向けて略直角に屈曲して延在したものである。すなわち、基部４２ａの先端部分は、接合壁部３１ａに対向する。
係止爪部４２ｂは、基部４２ａの先端部分に設けられ、室外側に向けて突出する。
以上説明した第１係合受け部４１及び第１突起部４２は、本発明に係る第１仮固定部４０に相当する。すなわち、第１仮固定部４０は、新設枠２０（新設上壁部２５）及び上額縁部材３１に設けられている。そして、第１仮固定部４０は、見込み方向から見て、既設枠１０の外縁よりも内周側に設けられている（図２）。
【００３６】
図５は、図１ないし図３に示した縦額縁部材３２を室内側から見た要部斜視図である。
２つの縦額縁部材３２は、左右対称となる形状を有している。このため、以下では、左右対称となる同一の部位には、同一の符号を付して説明する。
縦額縁部材３２は、上額縁部材３１と同様に樹脂もしくはアルミニウム合金によって成形した押し出し形材であり、図３及び図５に示すように、接合壁部３２ａと、内方見込み額縁部３２ｂと、見付け額縁部３２ｃと、外方見込み額縁部３２ｄとを備える。
接合壁部３２ａは、新設縦枠２３の室外側に臨む見付け面に接合される部分であり、ネジを螺合するに十分な幅を有するように構成されている。そして、接合壁部３２ａの左右両縁部には、互いに対向するように一対の係合壁部３２ｅが室外側に設けられており、縦額縁部材３２の長手方向に沿って延在するビスカバー３４を着脱可能とする。
なお、接合壁部３２ａは、本発明に係る第２連結壁部に相当する。
【００３７】
内方見込み額縁部３２ｂは、外周側の係合壁部３２ｅを見込み方向に延長した部分である。そして、内方見込み額縁部３２ｂは、図３に示すように、接合壁部３２ａを新設縦枠２３の見付け面に当接させた場合に、接合壁部３１ａを新設上枠２２に当接させた上額縁部材３１の第２見付け額縁部３１ｄを超えて突出する寸法を有する。
また、内方見込み額縁部３２ｂには、上額縁部材３１の端部を縦額縁部材３２の内部に挿入するためのインロウ用切欠３２ｆが設けられている。
インロウ用切欠３２ｆは、上額縁部材３１における接合壁部３１ａ、第１見付け額縁部３１ｂ、内方見込み額縁部３１ｃ、及び第２見付け額縁部３１ｄの断面形状に合致するように形成されている。すなわち、インロウ用切欠３２ｆは、上額縁部材３１の端部を縦額縁部材３２の内部に挿入した状態で、接合壁部３１ａ、第１見付け額縁部３１ｂ、内方見込み額縁部３１ｃ、及び第２見付け額縁部３１ｄにそれぞれ対向する第１〜第４縁部３２ｆ１〜３２ｆ４で構成されている。
【００３８】
見付け額縁部３２ｃは、内方見込み額縁部３２ｂにおける室外側の端部から外周側に向けて屈曲して延在したものである。本実施の形態１では、見付け額縁部３２ｃは、内周側の見付け面がわずかに凹状となるように湾曲し、かつ外周側の見付け面がわずかに凸状となるように湾曲するように構成されている。そして、見付け額縁部３２ｃの見付け寸法は、新設縦枠２３の外周側面から既設縦枠１２と外壁Ｗとの接合部までの距離よりも大きく設定されている（図３）。
外方見込み額縁部３２ｄは、見付け額縁部３２ｃにおける外周側の端部から室内側に向けて略直角に屈曲して延在したものである。
そして、見付け額縁部３２ｃ及び外方見込み額縁部３２ｄの内表面には、図３に示すように、それぞれ複数の折り取り溝３２ｇが形成されている。なお、図３では、外方見込み額縁部３２ｄの切断された部分を破線で示している。
【００３９】
また、縦額縁部材３２の内表面には、図３に示すように、支持片３２ｈ〜３２ｊが設けられ、支持片３２ｈ〜３２ｊの上端部に第２突起部５２が取り付けられている。
支持片３２ｈは、内方見込み額縁部３２ｂの内表面から外方見込み額縁部３２ｄに向けて突出したヒレ状部分である。支持片３２ｉは、支持片３２ｈよりも室外側に位置し、内方見込み額縁部３２ｂの内表面から外方見込み額縁部３２ｄに向けて突出したヒレ状部分である。支持片３２ｊは、見付け額縁部３２ｃの内表面から室内側に向けて突出したヒレ状部分である。これら支持片３２ｈ〜３２ｊは、縦額縁部材３２の長手方向に沿ってそれぞれ延在し、その上端部の高さ位置が第３縁部３２ｆ３の高さ位置と略同一にそれぞれ設定されている。
【００４０】
第２突起部５２は、板体５２ａと、突起部本体５２ｂとを備える。
板体５２ａは、平面視で矩形形状を有し、一方の板面が上方を向き、当該一方の板面が第３縁部３２ｆ３と略同一の高さ位置となるように支持片３２ｈ〜３２ｊに取り付けられる。
突起部本体５２ｂは、板体５２ａにおける上記一方の板面の略中心位置から突出し、第２係合受け部５１ａに挿入されて第２係合受け部５１ａに係合する部分である。この突起部本体５２ｂは、室外側に向かうにしたがって下方に傾斜する第１テーパ面５２ｂ１と、室内側に向かうにしたがって下方に傾斜する第２テーパ面５２ｂ２とを有する断面視略三角形状を有する。
本実施の形態１では、板体５２ａにおいて、突起部本体５２ｂの左右両側の各位置には、表裏を貫通し、見込み方向に沿って延びる貫通孔５２ａ１がそれぞれ形成されている。すなわち、板体５２ａにおける一対の貫通孔５２ａ１の間の部位が弾性変形可能となり、突起部本体５２ｂは、上下に移動可能とする。
【００４１】
さらに、縦額縁部材３２の上端部には、キャップ部材３５が装着されている。
図６は、図５に示したキャップ部材３５を裏面側から見た斜視図である。
キャップ部材３５は、縦額縁部材３２の上端開口を塞ぐ部材であり、キャップ本体３５ａと、垂設部３５ｂと、ヒレ状部３５ｃとを備える。
キャップ本体３５ａは、縦額縁部材３２の上端と略同一の平面形状を有する平板で構成されている。このキャップ本体３５ａにおいて、キャップ部材３５が縦額縁部材３２の上端部に装着された状態で、内方見込み額縁部３２ｂ及び見付け額縁部３２ｃの角隅部分に近接した部分には、キャップ本体３５ａの表裏を貫通し、ネジを挿通するための第１ネジ挿通用孔３５ａ１が形成されている。また、キャップ本体３５ａの裏面には、複数の折り取り溝３５ａ２が形成されている。
以上説明した支持片３２ｈ〜３２ｊの上端部、及びキャップ部材３５（キャップ本体３５ａ）は、本発明に係る一対の第２挟持用壁部に相当する。
【００４２】
垂設部３５ｂは、キャップ本体３５ａの裏面における第１ネジ挿通用孔３５ａ１に近接した位置から下方に向けて垂設された部分であり、見込み方向に沿う平板形状を有する。
ヒレ状部３５ｃは、縦額縁部材３２に固定される部分であり、垂設部３５ｂの先端部分における室内側の縁部から内周側に向けて略直角に屈曲して延在したものである。このヒレ状部３５ｃには、表裏を貫通し、ネジを挿通するための第２ネジ挿通用孔３５ｃ１が形成されている。そして、ヒレ状部３５ｃは、図５に示すように、縦額縁部材３２にキャップ部材３５が装着された状態で、支持片３２ｈにおける室内側に当接する。この状態で、第１ネジ挿通用孔３５ａ１を介して縦額縁部材３２のビスホール３２ｋにネジ３６を螺合するとともに、第２ネジ挿通用孔３５ｃ１を介して支持片３２ｈにネジ３７を螺合することにより、縦額縁部材３２にキャップ部材３５が固定される。
【００４３】
また、キャップ部材３５には、第２突起部５３が設けられている。
第２突起部５３は、キャップ本体３５ａの裏面における垂設部３５ｂ及び第１ネジ挿通用孔３５ａ１に近接した位置から突出し、第２係合受け部５１ｂに挿入されて第２係合受け部５１ｂに係合する部分である。
具体的に、第２突起部５３は、キャップ本体３５ａの裏面において、縦額縁部材３２の上端部にキャップ部材３５が装着された状態で第２突起部５２に対向する位置に設けられている。また、第２突起部５３は、突起部本体５２ｂと同様に、室外側に向かうにしたがって下方に傾斜する第１テーパ面５３ａと、室内側に向かうにしたがって下方に傾斜する第２テーパ面５３ｂとを有する断面視略三角形状を有する。
本実施の形態１では、キャップ本体３５ａにおいて、第２突起部５３の左右両側の各位置には、表裏を貫通し、見込み方向に沿って延びる貫通孔３５ａ３がそれぞれ形成されている。すなわち、キャップ本体３５ａにおける一対の貫通孔３５ａ３の間の部位が弾性変形可能となり、第２突起部５３は、上下に移動可能とする。
以上説明した第２係合受け部５１ａ，５１ｂ及び第２突起部５２，５３は、本発明に係る第２仮固定部５０に相当する。すなわち、第２仮固定部５０は、上額縁部材３１及び縦額縁部材３２に設けられている。そして、第２仮固定部５０のうち、第２係合受け部５１ａ及び第２突起部５２は、見込み方向から見て、既設枠１０の外縁よりも内周側に設けられている（図２，図３）。
【００４４】
以下、上述した額縁部材３０を取り付ける手順について説明する。
図７は、図１に示した額縁部材３０の取付方法を示す図であって、新設枠２０に上額縁部材３１を仮固定する状態を示す斜視図である。
先ず、躯体Ｂに固定した新設枠２０に対して、上額縁部材３１を仮固定する。具体的に、新設上壁部２５の上方から開口４１ａ１に第１突起部４２（基部４２ａ）の先端部分を挿入するように、新設上壁部２５に上額縁部材３１を載置する。開口４１ａ１に第１突起部４２（基部４２ａ）の先端部分が挿入されることにより、第１突起部４２及び第１係合受け部４１が互いに係合し、新設枠２０に上額縁部材３１が仮固定される。そして、当該状態では、接合壁部３１ａは、新設枠２０（新設上枠２２）の室外側に臨む見付け面に対向する。
【００４５】
図８は、図７に示した仮固定を行った状態で、上額縁部材３１が室外側に傾いた状態を実線で、上額縁部材３１が室内側に傾いた状態を破線で示す縦断面図である。
例えば、新設枠２０に上額縁部材３１が仮固定された状態で、上額縁部材３１の重心位置Ｃｇが第１仮固定部４０の上方であって、かつ、室外側に位置する場合には、上額縁部材３１は、図８の実線で示すように、溝部４１ａにおける室外側の側壁の上端部を支点として室外側に傾くことになる。この場合には、接合壁部３１ａが新設上枠２２の見付け面に当接するとともに、開口４１ａ１の縁部に係止爪部４２ｂが係止し、手を離した状態でも上額縁部材３１が新設上壁部２５から落ちてしまうことがなく、仮固定の状態が維持される。
また、例えば、新設枠２０に上額縁部材３１が仮固定された状態で、上額縁部材３１の重心位置Ｃｇが第１仮固定部４０の上方であって、かつ、室内側に位置する場合には、上額縁部材３１は、図８の破線で示すように、溝部４１ａにおける室外側の側壁の上端部を支点として室内側に傾くことになる。この場合には、第１突起部４２の先端部分（係止爪部４２ｂ）が溝部４１ａにおける室外側の側壁に当接するとともに、外方見込み額縁部３１ｅが外壁Ｗに当接し、手を離した状態でも上額縁部材３１が新設上壁部２５から落ちてしまうことがなく、仮固定の状態が維持される。
【００４６】
上述した仮固定の後、接合壁部３１ａを介して新設上枠２２の見付け面に連結ネジ６０（図２）を螺合することにより、新設枠２０に上額縁部材３１が本固定される。
本実施の形態１では、本発明に係る連結具として連結ネジ６０を採用したが、これに限られず、接合壁部３１ａを新設上枠２２の見付け面に連結可能な他の部材を採用しても構わない。
なお、上額縁部材３１と外壁Ｗとの間は、折り取り溝３１ｇに沿って適宜切断することで調整することが可能である。この状態では、図２に示すように、既設上枠１１、新設上枠２２と既設上枠１１との隙間、既設上枠１１と外壁Ｗとの接合部が上額縁部材３１によって覆われることになり、外部に露出するおそれがなくなる。図には明示していないが、上額縁部材３１と外壁Ｗとの間は、シール材によって密閉しておくことが好ましい。
【００４７】
図９は、図１に示した額縁部材３０の取付方法を示す図であって、上額縁部材３１に縦額縁部材３２を仮固定する状態を示す斜視図である。図１０は、図９と同様の状態を内周側から見た側面図である。
次いで、新設枠２０に固定された上額縁部材３１に対して、キャップ部材３５がそれぞれ装着された２つの縦額縁部材３２をそれぞれ仮固定する。具体的に、インロウ用切欠３２ｆを介して上額縁部材３１の端部が縦額縁部材３２の内部に挿入されるように、縦額縁部材３２を見込み方向に沿って室内側に移動する。この際、縦額縁部材３２におけるキャップ本体３５ａの裏面及び第２突起部５２の板体５２ａの上面は、上額縁部材３１における外方見込み額縁部３１ｅの外表面、及び内方見込み額縁部３１ｃの外表面にそれぞれ摺接する。このため、縦額縁部材３２の室内側への移動を継続すると、第２突起部５３（第２テーパ面５３ｂ）及び突起部本体５２ｂ（第２テーパ面５２ｂ２）は、外方見込み額縁部３１ｅ及び内方見込み額縁部３１ｃにそれぞれ当接する。そして、第２突起部５３及び突起部本体５２ｂは、外方見込み額縁部３１ｅ及び内方見込み額縁部３１ｃにそれぞれ押圧されると、弾性変形により、外方見込み額縁部３１ｅ及び内方見込み額縁部３１ｃを避ける方向にそれぞれ移動する。第２突起部５３及び突起部本体５２ｂが第２係合受け部５１ｂ，５１ａの形成位置にそれぞれ位置するまで縦額縁部材３２を室内側へ移動すると、第２突起部５３（第１テーパ面５３ａ）及び突起部本体５２ｂ（第１テーパ面５２ｂ１）が第２係合受け部５１ｂ，５１ａの縁部にそれぞれ係止する。当該係止により、上額縁部材３１及び縦額縁部材３２は、互いに見込み方向に引き寄せられ、仮固定される。そして、当該仮固定された状態では、接合壁部３２ａは、新設枠２０（新設縦枠２３）の室外側に臨む見付け面に対向する。
【００４８】
上述した仮固定の後、２つの縦額縁部材３２を左右方向にそれぞれ移動し、建て付け調整を行う。そして、当該建て付け調整の後、接合壁部３２ａを介して新設縦枠２３の見付け面に連結ネジ７０を螺合することにより、新設枠２０に２つの縦額縁部材３２がそれぞれ本固定される。
本実施の形態１では、本発明に係る連結具として連結ネジ７０を採用したが、これに限られず、接合壁部３２ａを新設縦枠２３の見付け面に連結可能な他の部材を採用しても構わない。
なお、縦額縁部材３２と外壁Ｗとの間は、折り取り溝３２ｇ，３５ａ２に沿って適宜切断することで調整することが可能である。この状態では、図３に示すように、既設縦枠１２、新設縦枠２３と既設縦枠１２との隙間、既設縦枠１２と外壁Ｗとの接合部が縦額縁部材３２によって覆われることになり、外部に露出するおそれがなくなる。上額縁部材３１と同様に、縦額縁部材３２と外壁Ｗとの間についてもシール材によって密閉しておくことが好ましい。
【００４９】
以上の工程の後、上額縁部材３１の係合壁部３１ｆ、及び縦額縁部材３２の係合壁部３２ｅにビスカバー３３，３４をそれぞれ装着することにより、額縁部材３０の取付作業が終了する。
【００５０】
以上説明した本実施の形態１に係る額縁部材３０の取付構造では、上額縁部材３１と縦額縁部材３２とを個別に取り扱うことができるため、外形寸法や重量が大きくなることに起因した問題を招来することがない。しかも、上額縁部材３１及び縦額縁部材３２を連結ネジ６０，７０にて新設枠２０にそれぞれ連結する際に、第１仮固定部４０を利用して上額縁部材３１を新設枠２０に仮固定することができ、かつ、第２仮固定部５０を利用して縦額縁部材３２を上額縁部材３１に仮固定することができる。このため、例えば、一人で額縁部材３０の取付作業を行う場合であっても、上額縁部材３１や縦額縁部材３２を一方の手で押さえながら他方の手により連結ネジ６０，７０で新設枠２０にそれぞれ連結する作業を行う必要がなく、額縁部材３０の取付作業を容易に行うことができる。
【００５１】
また、本実施の形態１に係る額縁部材３０の取付構造では、接合壁部３１ａ，３２ａは、上額縁部材３１及び縦額縁部材３２がそれぞれ仮固定された状態で、新設枠２０の見付け面に対向する。このため、接合壁部３１ａ，３２ａ及び新設枠２０の見付け面を容易に連結ネジ６０，７０にて連結することができる。しかも、新設枠２０の見付け面に連結ネジ６０，７０を螺合するように構成しているため、入隅等、周囲に十分な作業スペースを確保することができない建物に対しても容易に取り付けることができる。
【００５２】
また、本実施の形態１に係る額縁部材３０の取付構造では、第１仮固定部４０が新設上壁部２５及び上額縁部材３１に設けられているため、新設上壁部２５に上額縁部材３１を載せるように配置すれば、第１仮固定部４０にて新設枠２０に対して上額縁部材３１を容易に仮固定することができる。
【００５３】
また、本実施の形態１に係る額縁部材３０の取付構造では、第１仮固定部４０を構成する第１突起部４２は、接合壁部３１ａに対向するように設けられている。また、第１突起部４２には、係止爪部４２ｂが設けられている。このため、図８に示したように、新設枠２０に対して上額縁部材３１を仮固定した状態を安定に維持することができる。
【００５４】
また、本実施の形態１に係る額縁部材３０の取付構造では、インロウ用切欠３２ｆを介して縦額縁部材３２の内部に上額縁部材３１を挿入するように縦額縁部材３２を移動させれば、縦額縁部材３２における支持片３２ｈ〜３２ｊの上端部、及びキャップ部材３５（キャップ本体３５ａ）が上額縁部材３１における内方見込み額縁部３１ｃ及び外方見込み額縁部３１ｅにそれぞれ対向する。そして、支持片３２ｈ〜３２ｊの上端部、及びキャップ部材３５にそれぞれ設けられた第２突起部５２，５３は、内方見込み額縁部３１ｃ及び外方見込み額縁部３１ｅにそれぞれ設けられた第２係合受け部５１ａ，５１ｂにそれぞれ係合する。このため、上額縁部材３１に対して縦額縁部材３２を容易に仮固定することができる。しかも、支持片３２ｈ〜３２ｊの上端部及びキャップ部材３５にて内方見込み額縁部３１ｃ及び外方見込み額縁部３１ｅを挟持することができ、上額縁部材３１に対して縦額縁部材３２を仮固定した状態を安定に維持することができる。また、縦額縁部材３２を見込み方向に移動させることにより、インロウ用切欠３２ｆを介して縦額縁部材３２の内部に上額縁部材３１を挿入する構成としているため、入隅等、周囲に十分な作業スペースを確保することができない建物であっても、縦額縁部材３２を容易に取り付けることができる。
【００５５】
また、本実施の形態１に係る額縁部材３０の取付構造では、上額縁部材３１の外方見込み額縁部３１ｅと縦額縁部材３２の外観を構成するキャップ部材３５とに第２仮固定部５０（第２係合受け部５１ｂ及び第２突起部５３）を設けているため、上額縁部材３１の外方見込み額縁部３１ｅ以外の部位及び縦額縁部材３２におけるキャップ部材３５以外の部位に第２仮固定部５０（第２係合受け部５１ｂ及び第２突起部５３）を別途、設けた構成と比較して、縦額縁部材３２の構造の簡素化を図ることができる。
【００５６】
また、本実施の形態１に係る額縁部材３０の取付構造では、第２突起部５２，５３に第１テーパ面５２ｂ１，５３ａが設けられているため、上額縁部材３１に対して縦額縁部材３２を仮固定すれば、上額縁部材３１及び縦額縁部材３２同士を互いに見込み方向に引き寄せ、上額縁部材３１及び縦額縁部材３２間の隙間（インロウ用切欠３１ｆと接合壁部３１ａ、第１見付け額縁部３１ｂ、内方見込み額縁部３１ｃ、及び第２見付け額縁部３１ｄとの隙間）をなくすことができる。
【００５７】
また、本実施の形態１に係る額縁部材３０の取付構造では、第２係合受け部５１ａ，５１ｂが左右方向に沿って延びる長穴で構成されているため、上額縁部材３１に対して縦額縁部材３２を仮固定した後、当該仮固定した状態を維持しながら、縦額縁部材３２を左右方向に移動させ、縦額縁部材３２の建付け調整を行うことができる。
【００５８】
また、本実施の形態１に係る額縁部材３０の取付構造では、第１仮固定部４０が見込み方向から見た場合に既設枠１０の外縁よりも内周側に設けられているため、例えば、軒天や外壁に干渉しないように上額縁部材３１を切断した場合であっても、第１仮固定部４０を利用して新設枠２０に対して上額縁部材３１を安定に仮固定することができる。
【００５９】
図１１は、本発明の実施の形態１の効果を説明する図であって、額縁部材３０が軒天Ｅに干渉した状態を示す要部拡大縦断面図である。図１２は、本発明の実施の形態１の効果を説明する図であって、縦額縁部材３２が外壁Ｗに干渉した状態を示す要部拡大横断面図である。
ところで、改装する玄関が入隅にある場合等には、上額縁部材３１及び縦額縁部材３２が軒天Ｅに干渉し、縦額縁部材３２が外壁Ｗに干渉する場合がある。このような場合には、縦額縁部材３２の上端部側を軒天Ｅの位置に合わせて切断するとともに、上額縁部材３１を軒天Ｅの位置に合わせて折り取り溝３１ｇに沿って切断する。なお、図１１では、上額縁部材３１及び縦額縁部材３２の切断された部分を破線で示している。また、縦額縁部材３２（キャップ部材３５を含む）を外壁Ｗの位置に合わせて折り取り溝３２ｇ，３５ａ２に沿って切断する。そして、上述した固定構造（第１，第２ネジ挿通用孔３５ａ１，３５ｃ１、ビスホール３２ｋ、及び支持片３２ｈ）を利用して、当該切断後のキャップ部材３５を当該切断後の縦額縁部材３２の上端部に固定する。すなわち、キャップ部材３５に設けられた固定構造（第１ネジ挿通用孔３５ａ１、垂設部３５ｂ、及びヒレ状部３５ｃ（第２ネジ挿通用孔３５ｃ１））及び第２突起部５３は、当該キャップ部材３５（キャップ本体３５ａ）を折り取り溝３５ａ２に沿って切断したとしても、キャップ部材３５に残る領域（切除されない領域）に設けられている。そして、当該固定構造及び第２突起部５３は、当該切断後、キャップ部材３５を縦額縁部材３２に固定した状態で、見込み方向から見て、既設枠１０の外縁よりも内周側に位置する。また、第２突起部５３以外の第２仮固定部５０、及び第１仮固定部４０についても、見込み方向から見て、既設枠１０の外縁よりも内周側に設けられている。
このため、上述したように上額縁部材３１及び縦額縁部材３２（キャップ部材３５を含む）を切断した場合であっても、以下に示すように、第２仮固定部５０を利用して上額縁部材３１に対して縦額縁部材３２を安定に仮固定することができる。
【００６０】
図１３は、図１１及び図１２に示した額縁部材３０の取付方法を示す図であって、上額縁部材３１に縦額縁部材３２を仮固定する状態を示す要部斜視図である。図１４は、図１３と同様の状態を内周側から見た側面図である。
図１３及び図１４に示すように、インロウ用切欠３２ｆを介して上額縁部材３１の端部が縦額縁部材３２の内部に挿入されるように、縦額縁部材３２を見込み方向に沿って室内側に移動する。この際、上額縁部材３１における第２見付け額縁部３１ｄの一部及び外方見込み額縁部３１ｅが切除されているため、縦額縁部材３２におけるキャップ本体３５ａの裏面及び第２突起部５２の板体５２ａの上面は、上額縁部材３１における第２見付け額縁部３１ｄの上端部、及び内方見込み額縁部３１ｃの外表面にそれぞれ摺接する。このため、縦額縁部材３２の室内側への移動を継続すると、第２突起部５３（第２テーパ面５３ｂ）及び突起部本体５２ｂ（第２テーパ面５２ｂ２）は、第２見付け額縁部３１ｄの上端部及び内方見込み額縁部３１ｃにそれぞれ当接する。そして、第２突起部５３及び突起部本体５２ｄは、第２見付け額縁部３１ｄの上端部及び内方見込み額縁部３１ｃにそれぞれ押圧されると、弾性変形により、第２見付け額縁部３１ｄの上端部及び内方見込み額縁部３１ｃを避ける方向にそれぞれ移動する。第２突起部５３及び突起部本体５２ｄが第２見付け額縁部３１ｄの上端部よりも室内側及び第２係合受け部５１ａの形成位置にそれぞれ位置するまで縦額縁部材３２を室内側へ移動すると、第２突起部５３（第１テーパ面５３ａ）及び突起部本体５２ｂ（第１テーパ面５２ｂ１）が第２見付け額縁部３１ｄの上端部（第２見付け額縁部３１ｄの内表面）及び第２係合受け部５１ａの縁部にそれぞれ係止する。当該係止により、上額縁部材３１及び縦額縁部材３２は、互いに見込み方向に引き寄せられ、仮固定される。
したがって、上額縁部材３１を上述したように切断した場合には、第２見付け額縁部３１ｄの上端部が本発明に係る第２係合受け部に相当する。
【００６１】
（実施の形態１の変形例）
図１５は、本発明の実施の形態１に係る第１仮固定部４０の変形例１を示す縦断面図である。具体的に、図１５は、図８に対応した図であって、上額縁部材１３１が室外側に傾いた状態を実線で、上額縁部材１３１が室内側に傾いた状態を破線で示している。
実施の形態１において、第１仮固定部４０の代わりに、図１５に示した第１仮固定部１４０を採用しても構わない。
第１仮固定部１４０は、新設枠１２０（新設上壁部１２５）に設けられた第１係合受け部１４１と、上額縁部材１３１に設けられた第１突起部１４２とを備える。
なお、新設枠１２０（新設上壁部１２５）は、実施の形態１で説明した新設枠２０（新設上壁部２５）に対して、第１係合受け部４１の代わりに第１係合受け部１４１が設けられた点が異なるのみである。上額縁部材１３１も同様に、実施の形態１で説明した上額縁部材３１に対して、第１突起部４２の代わりに第１突起部１４２が設けられた点が異なるのみである。
【００６２】
第１係合受け部１４１は、実施の形態１で説明した第１係合受け部４１に対して、係止片４１ｂが省略された点が異なるのみである。
第１突起部１４２は、実施の形態１で説明した第１突起部４２に対して、係止爪部４２ｂが省略された点が異なるのみである。
本変形例１に係る第１仮固定部１４０を利用した場合であっても、上額縁部材１３１の重心位置Ｃｇが第１仮固定部１４０の上方であって、かつ、室外側または室内側に位置する場合において、実施の形態１で説明した効果と同様の効果を奏することができ、新設枠１２０に対して上額縁部材１３１を仮固定した状態を安定に維持することができる。
【００６３】
図１６は、本発明の実施の形態１に係る第１仮固定部４０の変形例２を示す縦断面図である。具体的に、図１６は、図８に対応した図であって、上額縁部材２３１が室外側に傾いた状態を実線で、上額縁部材２３１が室内側に傾いた状態を破線で示している。
実施の形態１において、第１仮固定部４０の代わりに、図１６に示した第１仮固定部２４０を採用しても構わない。
第１仮固定部２４０は、新設枠２２０（新設上壁部２２５）に設けられた第１係合受け部２４１と、上額縁部材２３１に設けられた第１突起部２４２とを備える。
なお、新設枠２２０（新設上壁部２２５）は、実施の形態１で説明した新設枠２０（新設上壁部２５）に対して、第１係合受け部４１の代わりに第１係合受け部２４１が設けられた点が異なるのみである。上額縁部材２３１も同様に、実施の形態１で説明した上額縁部材３１に対して、第１突起部４２の代わりに第１突起部２４２が設けられた点が異なるのみである。
【００６４】
第１係合受け部２４１は、実施の形態１で説明した第１係合受け部４１に対して、係止片４１ｂが省略されている。また、第１係合受け部２４１の溝部２４１ａは、上述した第１係合受け部４１の溝部４１ａに対して、幅寸法（見込み方向の幅寸法）が大きくなるように設定されている。さらに、溝部２４１ａにおける室内側の側壁の上端部には、見込み方向に沿って室外側に突出し、さらに下方に向けて略直角に屈曲した係止片２４１ｂが形成されている。そして、溝部２４１ａの底面と係止片２４１ｂの先端部分との間は、第１突起部２４２が挿入される開口２４１ａ１として機能する。
【００６５】
第１突起部２４２は、基部２４２ａと、係止爪部２４２ｂとを備える。
基部２４２ａは、接合壁部３１ａの内表面から室内側に向けて突出した後に下方に向けて略直角に屈曲し、さらに室内側に向けて略直角に屈曲して延在したものである。
係止爪部２４２ｂは、基部２４２ａの先端部分に設けられ、上方に向けて突出する。
そして、第１突起部２４２は、第１係合受け部２４１の開口２４１ａ１に挿入されて第１係合受け部２４１に係合する。
本変形例２に係る第１仮固定部２４０を利用した場合であっても、上額縁部材２３１の重心位置Ｃｇが第１仮固定部２４０の上方であって、かつ、室外側または室内側に位置する場合において、実施の形態１で説明した効果と同様の効果を奏することができ、新設枠２２０に対して上額縁部材２３１を仮固定した状態を安定に維持することができる。
【００６６】
また、実施の形態１（当該実施の形態１の変形例１，２）では、新設上壁部２５（１２５，２２５）に第１係合受け部４１（１４１，２４１）を設け、上額縁部材３１（１３１，２３１）に第１突起部４２（１４２，２４２）を設けていたが、逆に、新設上壁部に第１突起部を設け、上額縁部材に第１係合受け部を設けた構成としても構わない。
同様に、実施の形態１では、上額縁部材３１に第２係合受け部５１ａ，５１ｂを設け、縦額縁部材３２に第２突起部５２，５３を設けていたが、逆に、上額縁部材に第２突起部を設け、縦額縁部材に第２係合受け部を設けた構成としても構わない。
【００６７】
（実施の形態２）
次に、本発明の実施の形態２について説明する。
以下の説明では、実施の形態１と同様の構成には同一符号を付し、その詳細な説明は省略または簡略化する。
図１７は、本発明の実施の形態２に係る額縁部材３３０の取付構造を適用した建具の要部拡大縦断面図である。図１８は、図１７に示した上額縁部材３３１を室内側から見た要部斜視図である。図１９は、図１７に示した縦額縁部材３３２を室内側から見た要部斜視図である。
本実施の形態２では、図１７ないし図１９に示すように、実施の形態１で説明した第２仮固定部５０の代わりに、第２仮固定部３５０を採用した点が異なる。
【００６８】
第２仮固定部３５０は、額縁部材３３０を構成する上額縁部材３３１及び２つの縦額縁部材３３２のうち、上額縁部材３３１に設けられた第２係合受け部３５１と、２つの縦額縁部材３３２にそれぞれ設けられた第２突起部３５２とを備える。
上額縁部材３３１は、実施の形態１で説明した上額縁部材３１に対して、第２係合受け部５１ａ，５１ｂが省略され、第２係合受け部５１ａ，５１ｂの代わりに第２係合受け部３５１が設けられた点が異なるのみである。具体的に、上額縁部材３３１の第１見付け額縁部３１ｂにおいて、左右方向の両側に、第２係合受け部３５１がそれぞれ設けられている（図１８では室内側から見て左側の１つのみ図示）。
第２係合受け部３５１は、第１見付け額縁部３１ｂの表裏を貫通した開口であって、上額縁部材３３１の長手方向に沿って延びる矩形状の長穴で構成されている。
【００６９】
２つの縦額縁部材３３２は、左右対称となる形状を有している。このため、以下では、左右対称となる同一の部位には、同一の符号を付して説明する。
縦額縁部材３３２（キャップ部材３３５を含む）は、実施の形態１で説明した縦額縁部材３２（キャップ部材３５を含む）に対して、第２突起部５２，５３が省略され、第２突起部５２，５３の代わりに第２突起部３５２が設けられた点が異なるのみである。具体的に、縦額縁部材３３２において、内方見込み額縁部３２ｂ、見付け額縁部３２ｃ、及び支持片３２ｈ，３２ｊで囲まれる空間に第２突起部３５２が装着されている。
第２突起部３５２は、基体３５２ａと、突起部本体３５２ｂとを備える。
基体３５２ａは、内方見込み額縁部３２ｂ、見付け額縁部３２ｃ、及び支持片３２ｈ，３２ｊで囲まれる空間に取り付けられる。
突起部本体３５２ｂは、基体３５２ａから突出する部分であり、第２突起部３５２が縦額縁部材３３２に取り付けられた状態で支持片３２ｈに形成された突起挿通用切欠３２ｈ１を介して室内側に向けて突出する。そして、突起部本体３５２ｂは、第２係合受け部３５１に挿入されて第２係合受け部３５１に係合する。
【００７０】
本実施の形態２では、突起部本体３５２ｂは、断面矩形枠状の筒形状を有する。そして、突起部本体３５２ｂの上方の側壁には、上方に突出する係止爪部３５２ｃが形成されている。この係止爪部３５２ｃは、鉛直面に沿う係止面３５２ｃ１と、室内側に向かうにしたがって下方に傾斜するテーパ面３５２ｃ２とを有する断面視略三角形状を有する。また、突起部本体３５２ｂの上方の側壁には、筒状の突起部本体３５２ｂの内外を貫通し、係止爪部３５２ｃを囲むようにＵ字状に延びる貫通孔３５２ｄが形成されている。当該貫通孔３５２ｄにより、係止爪部３５２ｃは、室内側の部位のみが当該上方の側壁に接続された状態となる。すなわち、係止爪部３５２ｃの室内側の部位が弾性変形可能となり、係止爪部３５２ｃは、上下に移動可能とする。なお、突起部本体３５２ｂは、上下対称の形状を有し、下方の側壁にも同様の係止爪部３５２ｃ及び貫通孔３５２ｄが形成されている。
【００７１】
そして、第２仮固定部３５０を利用することにより、以下に示すように、新設枠２０（新設上壁部２５）に固定された上額縁部材３３１に対して縦額縁部材３３２を仮固定することができる。
すなわち、インロウ用切欠３２ｆを介して上額縁部材３３１の端部が縦額縁部材３３２の内部に挿入され、かつ、第２突起部３５２の突起部本体３５２ｂを第２係合受け部３５１に挿入するように、縦額縁部材３２を見込み方向に沿って室内側に移動する。そして、縦額縁部材３３２の室内側への移動を継続すると、突起部本体３５２ｂの上下の係止爪部３５２ｃ（テーパ面３５２ｃ２）は、第２係合受け部３５１の上下の縁部にそれぞれ当接する。そして、上下の係止爪部３５２ｃは、第２係合受け部３５１の上下の縁部にそれぞれ押圧されると、弾性変形により、第２係合受け部３５１の上下の縁部を避ける方向にそれぞれ移動する。上下の係止爪部３５２ｃが第１見付け額縁部３１ｂの室内側にそれぞれ位置するまで縦額縁部材３３２を室内側へ移動すると、上下の係止爪部３５２ｃ（係止面３５２ｃ１）が第２係合受け部３５１の上下の縁部（第１見付け額縁部３１ｂの内表面）にそれぞれ係止する。当該係止により、縦額縁部材３３２は、室外側への移動が規制され、上額縁部材３３１に対して仮固定される。
【００７２】
上述した本実施の形態２のような第２仮固定部３５０を採用した場合であっても、実施の形態１と同様の効果を奏する。
【００７３】
（実施の形態２の変形例）
実施の形態２では、上額縁部材３３１に第２係合受け部３５１を設け、縦額縁部材３３２に第２突起部３５２を設けていたが、逆に、上額縁部材に第２突起部を設け、縦額縁部材に第２係合受け部を設けた構成としても構わない。
また、実施の形態２では、第２突起部３５２の係止面３５２ｃ１は、鉛直面に沿う面で構成されていたが、これに限られず、室外側に向かうにしたがって下方に傾斜するテーパ面で構成しても構わない。
【００７４】
（実施の形態３）
次に、本発明の実施の形態３について説明する。
以下の説明では、実施の形態１と同様の構成には同一符号を付し、その詳細な説明は省略または簡略化する。
図２０は、本発明の実施の形態３に係る額縁部材４３０の取付構造を適用した建具の要部拡大縦断面図である。図２１は、図２０に示した建具の要部拡大横断面図である。図２２は、図２０及び図２１に示した額縁部材４３０の取付方法を示す図であって、新設枠４２０に縦額縁部材４３２を仮固定する状態を示す斜視図である。図２３は、図２０及び図２１に示した額縁部材４３０の取付方法を示す図であって、縦額縁部材４３２に上額縁部材４３１を仮固定する状態を示す斜視図である。
実施の形態１では、額縁部材３０の取付方法として、先ず、新設枠２０に上額縁部材３１を仮固定及び本固定する。この後、上額縁部材３１に２つの縦額縁部材３２をそれぞれ仮固定するとともに、新設枠２０に２つの縦額縁部材３２をそれぞれ本固定している。
これに対して、本実施の形態３では、額縁部材４３０の取付方法として、先ず、額縁部材４３０を構成する上額縁部材４３１及び２つの縦額縁部材４３２のうち、２つの縦額縁部材４３２を新設枠４２０にそれぞれ仮固定及び本固定する。この後、上額縁部材４３１を２つの縦額縁部材４３２に仮固定するとともに、新設枠４２０に本固定する。
以下、本実施の形態３に係る新設枠４２０、上額縁部材４３１、及び２つの縦額縁部材４３２の構成について説明する。
【００７５】
新設枠４２０は、図２０及び図２１に示すように、実施の形態１で説明した新設上枠２２の他、左右の新設縦枠４２３を備える。
新設縦枠４２３は、実施の形態１で説明した新設縦枠２３に対して、見付け面に第１係合受け部４４１が設けられている点が異なるのみである。
第１係合受け部４４１は、新設縦枠４２３の見付け面を構成する側壁２３ａ１（図２１、室外側形材２３ａの側壁）の内外を貫通した開口であって、左右方向に沿って延びる矩形状の長穴で構成されている。
なお、側壁２３ａ１は、本発明に係る新設見付け壁部に相当する。
【００７６】
２つの縦額縁部材４３２は、左右対称となる形状を有している。このため、以下では、左右対称となる同一の部位には、同一の符号を付して説明する。
縦額縁部材４３２は、樹脂もしくはアルミニウム合金によって成形した押し出し形材であり、接合壁部４３２ａと、第１見付け額縁部４３２ｂと、内方見込み額縁部４３２ｃと、第２見付け額縁部４３２ｄと、外方見込み額縁部４３２ｅとを備える。
接合壁部４３２ａは、新設縦枠４２３の室外側に臨む見付け面に接合される部分であり、ネジを螺合するに十分な幅を有するように構成されている。そして、接合壁部４３２ａの左右両縁部には、互いに対向するように一対の係合壁部４３２ｆが室外側に設けられており、縦額縁部材４３２の長手方向に沿って延在するビスカバー４３４を着脱可能とする。
なお、接合壁部４３２ａは、本発明に係る第１連結壁部に相当する。
【００７７】
また、接合壁部４３２ａには、第１係合受け部４４１に挿入されて第１係合受け部４４１に係合する第１突起部４４２が設けられている。
第１突起部４４２は、実施の形態２で説明した第２突起部３５２と同様の構造を有する。すなわち、第１突起部４４２は、第２突起部３５２における基体３５２ａ及び突起部本体３５２ｂ（係止爪部３５２ｃ（係止面３５２ｃ１及びテーパ面３５２ｃ２を含む）及び貫通孔３５２ｄを含む）と同様の基体４４２ａ及び突起部本体４４２ｂ（係止爪部４４２ｃ及び貫通孔４４２ｄを含む）を備える。そして、基体４４２ａは、一対の係止爪部４４２ｃが上下にそれぞれ位置する姿勢で、接合壁部４３２ａに形成された突起挿通用開口４３２ａ１を介して突起部本体４４２ｂが室内側に突出するように、接合壁部４３２ａ及び一対の係合壁部４３２ｆで囲まれる空間に取り付けられる。
以上説明した第１係合受け部４４１及び第１突起部４４２は、本発明に係る第１仮固定部４４０に相当する。すなわち、第１仮固定部４４０は、新設枠４２０（新設縦枠４２３）及び縦額縁部材４３２に設けられている。そして、第１仮固定部４４０は、見込み方向から見て、既設枠１０の外縁よりも内周側に設けられている。
【００７８】
第１見付け額縁部４３２ｂは、外周側の係合壁部４３２ｆにおける室外側の端部から外周側に向けて略直角に屈曲して延在したものである。
内方見込み額縁部４３２ｃは、第１見付け額縁部４３２ｂにおける外周側の端部から室外側に向けて略直角に屈曲して延在したものである。この内方見込み額縁部４３２ｃには、第２係合受け部４５１ａが設けられている。
第２係合受け部４５１ａは、内方見込み額縁部４３２ｃの表裏を貫通した開口であって、縦額縁部材４３２の長手方向に沿って延びる矩形状の長穴で構成されている。
【００７９】
第２見付け額縁部４３２ｄは、内方見込み額縁部４３２ｃにおける室外側の端部から外周側に向けて略直角に屈曲して延在したものである。そして、第１見付け額縁部４３２ｂの見付け寸法、及び第２見付け額縁部４３２ｄの見付け寸法を足し合わせた寸法は、新設縦枠４２３の外周側面から既設縦枠１２と建物の外壁との接合部までの距離よりも大きく設定されている。
【００８０】
外方見込み額縁部４３２ｅは、第２見付け額縁部４３２ｄにおける外周側の端部から室内側に向けて略直角に屈曲して延在したものである。この外方見込み額縁部４３２ｅにおいて、第２係合受け部４５１ａに対向する位置には、第２係合受け部４５１ｂが設けられている。
第２係合受け部４５１ｂは、外方見込み額縁部４３２ｅの表裏を貫通した開口であって、縦額縁部材４３２の長手方向に沿って延びる矩形状の長穴で構成されている。
そして、第２見付け額縁部４３２ｄ及び外方見込み額縁部４３２ｅの内表面には、それぞれ複数の折り取り溝４３２ｇが形成されている。
【００８１】
上額縁部材４３１は、縦額縁部材４３２と同様に樹脂若しくはアルミニウム合金によって成形した押し出し形材であり、接合壁部４３１ａと、内方見込み額縁部４３１ｂと、見付け額縁部４３１ｃと、外方見込み額縁部４３１ｄとを備える。
接合壁部４３１ａは、新設上枠２２の室外側に臨む見付け面に接合される部分であり、ネジを螺合するに十分な幅を有するように構成されている。そして、接合壁部４３１ａの上下両縁部には、互いに対向するように一対の係合壁部４３１ｅが室外側に設けられており、上額縁部材４３１の長手方向に沿って延在するビスカバー４３３を着脱可能とする。
なお、接合壁部４３１ａは、本発明に係る第２連結壁部に相当する。
【００８２】
内方見込み額縁部４３１ｂは、上方の係合壁部４３１ｅを見込み方向に延長した部分である。この内方見込み額縁部４３１ｂにおける左右方向の両端には、２つの縦額縁部材４３２の上端部を上額縁部材４３１の内部に挿入するためのインロウ用切欠４３１ｆが設けられている。
インロウ用切欠４３１ｆは、縦額縁部材４３２における一対の係合壁部４３１ｅ、第１見付け額縁部４３２ｂ、内方見込み額縁部４３２ｃ、及び第２見付け額縁部４３２ｄの断面形状に合致するように形成されている。すなわち、インロウ用切欠４３１ｆは、縦額縁部材４３２の上端部が上額縁部材４３１の内部に挿入された状態で、一対の係合壁部４３１ｅ、第１見付け額縁部４３２ｂ、内方見込み額縁部４３２ｃ、及び第２見付け額縁部４３２ｄにそれぞれ対向する第１〜第６縁部４３１ｆ１〜４３１ｆ６で構成されている。
【００８３】
見付け額縁部４３１ｃは、内方見込み額縁部４３１ｂにおける室外側の端部から上方に向けて屈曲して延在したものである。本実施の形態３では、見付け額縁部４３１ｃは、下方の見付け面がわずかに凹状となるように湾曲し、かつ上方の見付け面がわずかに凸状となるように湾曲するように構成されている。そして、見付け額縁部４３１ｃの見付け寸法は、新設上枠２２の上面から既設上枠１１と建物の外壁との接合部までの距離よりも大きく設定されている。
外方見込み額縁部４３１ｄは、見付け額縁部４３１ｃにおける上端部から室内側に向けて略直角に屈曲して延在したものである。
そして、見付け額縁部４３１ｃ及び外方見込み額縁部４３１ｄの内表面には、それぞれ複数の折り取り溝４３１ｇが形成されている。
【００８４】
また、上額縁部材４３１の内表面には、支持片４３１ｈ〜４３１ｊが設けられている。
支持片４３１ｈは、内方見込み額縁部４３１ｂの内表面から外方見込み額縁部４３１ｄに向けて突出したヒレ状部分である。支持片４３１ｉは、支持片４３１ｈの室外側に位置し、内方見込み額縁部４３１ｂの内表面から外方見込み額縁部４３１ｄに向けて突出したヒレ状部分である。支持片４３１ｊは、見付け額縁部４３１ｃの内表面から室内側に向けて突出したヒレ状部分である。これら支持片４３１ｈ〜４３１ｊは、上額縁部材４３１の長手方向に沿って延在し、その両端部の位置（左右方向の位置）が各第５縁部４３１ｆ５（内方見込み額縁部４３２ｃに対向する縁部）の位置（左右方向の位置）と略同一に設定されている。
そして、支持片４３１ｈ〜４３１ｊの両端部には、第２突起部４５２がそれぞれ取り付けされている。
【００８５】
２つの第２突起部４５２は、実施の形態１で説明した第２突起部５２と同様の構造を有する。すなわち、第２突起部４５２は、第２突起部５２における板体５２ａ（一対の貫通孔５２ａ１を含む）及び突起部本体５２ｂ（第１，第２テーパ面５２ｂ１，５２ｂ２を含む）と同様の板体４５２ａ（一対の貫通孔４５２ａ１を含む）及び突起部本体４５２ｂ（第１，第２テーパ面４５２ｂ１，４５２ｂ２を含む）を備える。そして、２つの第２突起部４５２は、突起部本体４５２ｂが外周側を向くとともに一対の貫通孔４５２ａ１が上下方向に並ぶ姿勢で、板体４５２ａにおける突起部本体４５２ｂを有する板面が各第５縁部４３１ｆ５と略同一の位置（左右方向の位置）となるように、支持片４３１ｈ〜４３１ｊの両端部にそれぞれ取り付けられる。
【００８６】
さらに、上額縁部材４３１の両端部には、キャップ部材４３５がそれぞれ装着されている（図２０及び図２１では１つのみ図示）。
２つのキャップ部材４３５は、上額縁部材４３１の両端開口をそれぞれ塞ぐ部材であり、実施の形態１で説明したキャップ部材３５と同様の構造を有する。すなわち、キャップ部材４３５は、キャップ部材３５におけるキャップ本体３５ａ（第１ネジ挿通用孔３５ａ１、複数の折り取り溝３５ａ２、及び一対の貫通孔３５ａ３を含む）、垂設部３５ｂ、ヒレ状部３５ｃ（第２ネジ挿通用孔３５ｃ１を含む）、及び第２突起部５３（第１，第２テーパ面５３ａ，５３ｂを含む）と同様のキャップ本体４３５ａ（第１ネジ挿通用孔４３５ａ１、複数の折り取り溝（図示略）、及び一対の貫通孔４３５ａ３を含む）、垂設部４３５ｂ、ヒレ状部４３５ｃ（第２ネジ挿通用孔（図示略）を含む）、及び第２突起部４５３（第１，第２テーパ面４５３ａ，４５３ｂを含む）を備える。そして、ヒレ状部４３５ｃは、上額縁部材４３１にキャップ部材４３５が装着された状態で、支持片４３１ｈにおける室内側に当接する。この状態で、キャップ本体４３５に設けられた第１ネジ挿通用孔４３５ａ１を介して上額縁部材４３１のビスホール４３１ｋにネジ（図示略）を螺合するとともに、ヒレ状部４３５ｃに設けられた第２ネジ挿通用孔（図示略）を介して支持片４３１ｈにネジ４３６を螺合することにより、上額縁部材４３１にキャップ部材４３５が固定される。この状態では、第２突起部４５３は、第１，第２テーパ面４５３ａ，４５３ｂが見込み方向に並ぶ姿勢で、第２突起部４５２に対向した状態となる。
【００８７】
以上説明した第２係合受け部４５１ａ，４５１ｂ及び第２突起部４５２，４５３は、本発明に係る第２仮固定部４５０に相当する。すなわち、第２仮固定部４５０は、上額縁部材４３１及び縦額縁部材４３２に設けられている。そして、第２仮固定部４５０のうち、第２係合受け部４５１ａ及び第２突起部４５２は、見込み方向から見て、既設枠１０の外縁よりも内周側に設けられている。なお、キャップ部材４３５に設けられた固定構造（第１ネジ挿通用孔４３５ａ１、垂設部４３５ｂ、及びヒレ状部４３５ｃ）及び第２突起部４５３は、実施の形態１と同様に、軒天Ｅや外壁Ｗに干渉するために折り取り溝（図示略）に沿って切断したとしても、キャップ部材４３５に残る領域（切除されない領域）に設けられている。そして、当該固定構造及び第２突起部４５３は、当該切断後、キャップ部材４３５を上額縁部材４３１に固定した状態で、見込み方向から見て、既設枠１０の外縁よりも内周側に位置する。
【００８８】
以下、上述した額縁部材４３０を取り付ける手順について図２２及び図２３を参照しながら説明する。
先ず、図２２に示すように、建物の躯体に固定した新設枠４２０に対して、２つの縦額縁部材４３２を仮固定する。具体的に、第１突起部４４２の突起部本体４４２ｂを第１係合受け部４４１に挿入するように、縦額縁部材４３２を見込み方向に沿って室内側に移動する。そして、縦額縁部材４３２の室内側への移動を継続すると、突起部本体４４２ｂの上下の係止爪部４４２ｃは、第１係合受け部４４１の上下の縁部にそれぞれ当接する。そして、上下の係止爪部４４２ｃは、第１係合受け部４４１の上下の縁部にそれぞれ押圧されると、弾性変形により、第１係合受け部４４１の上下の縁部を避ける方向にそれぞれ移動する。上下の係止爪部４４２ｃが新設縦枠４２３の内部にそれぞれ位置するまで縦額縁部材４３２を室内側へ移動すると、上下の係止爪部４４２ｃ（係止面４４２ｃ１）が第１係合受け部４４１の上下の縁部（側壁２３ａ１の内表面）にそれぞれ係止する。当該係止により、縦額縁部材４３２は、室外側への移動が規制され、新設枠４２０（新設縦枠４２３）に対して仮固定される。そして、当該仮固定された状態では、接合壁部４３２ａは、新設枠４２０（新設縦枠４２３）の室外側に臨む見付け面に対向する。
【００８９】
上述した仮固定の後、２つの縦額縁部材４３２を左右方向に移動し、建て付け調整を行う。そして、当該建て付け調整の後、接合壁部４３２ａを介して新設縦枠４２３の見付け面に連結ネジ（図示略）を螺合することにより、新設枠４２０に２つの縦額縁部材４３２がそれぞれ本固定される。
なお、縦額縁部材４３２と建物の外壁との間は、折り取り溝４３２ｇに沿って適宜切断することで調整することが可能である。この状態では、既設縦枠１２、新設縦枠４２３と既設縦枠１２との隙間、既設縦枠１２と建物の外壁との接合部が縦額縁部材４３２によって覆われることになり、外部に露出するおそれがなくなる。縦額縁部材４３２と建物の外壁との間は、シール材によって密閉しておくことが好ましい。
【００９０】
次いで、図２３に示すように、新設枠４２０に固定された２つの縦額縁部材４３２に対して、キャップ部材４３５が左右の両端開口にそれぞれ装着された上額縁部材４３１を仮固定する。具体的に、インロウ用切欠４３１ｆを介して２つの縦額縁部材４３２の上端部が上額縁部材４３１の内部に挿入されるように、上額縁部材４３１を見込み方向に沿って室内側に移動する。この際、上額縁部材４３１におけるキャップ本体４３５ａの裏面及び第２突起部４５２の板体４５２ａにおける外周側の面は、縦額縁部材４３２における外方見込み額縁部４３２ｅの外表面、及び内方見込み額縁部４３２ｃの外表面にそれぞれ摺接する。このため、上額縁部材４３１の室内側への移動を継続すると、第２突起部４５３（第２テーパ面４５３ｂ）及び突起部本体４５２ｂ（第２テーパ面４５２ｂ２）は、外方見込み額縁部４３２ｅ及び内方見込み額縁部４３２ｃにそれぞれ当接する。そして、第２突起部４５３及び突起部本体４５２ｂは、外方見込み額縁部４３２ｅ及び内方見込み額縁部４３２ｃにそれぞれ押圧されると、弾性変形により、外方見込み額縁部４３２ｅ及び内方見込み額縁部４３２ｃを避ける方向にそれぞれ移動する。第２突起部４５３及び突起部本体４５２ｂが第２係合受け部４５１ｂ，４５１ａの形成位置にそれぞれ位置するまで上額縁部材４３１を室内側へ移動すると、第２突起部４５３（第１テーパ面４５３ａ）及び突起部本体４５２Ｂ（第１テーパ面４５２ｂ１）が第２係合受け部４５１ｂ，４５１ａの縁部にそれぞれ係止する。当該係止により、上額縁部材４３１及び縦額縁部材４３２は、互いに見込み方向に引き寄せられ、仮固定される。そして、当該仮固定された状態では、接合壁部４３１ａは、新設枠４２０（新設上枠２２）の室外側に臨む見付け面に対向する。
【００９１】
上述した仮固定の後、上額縁部材４３１を上下方向に移動し、建て付け調整を行う。そして、当該建て付け調整の後、接合壁部４３１ａを介して新設上枠２２の見付け面に連結ネジ（図示略）を螺合することにより、新設枠４２０に上額縁部材４３１が本固定される。
なお、上額縁部材４３１と建物の外壁との間は、折り取り溝４３１ｇに沿って適宜切断することで調整することが可能である。この状態では、既設上枠１１、新設上枠２２と既設上枠１１との隙間、既設上枠１１と建物の外壁との接合部が上額縁部材４３１によって覆われることになり、外部に露出するおそれがなくなる。縦額縁部材４３２と同様に、上額縁部材４３１と建物の外壁との間についてもシール材によって密閉しておくことが好ましい。
【００９２】
以上の工程の後、上額縁部材４３１の係合壁部４３１ｅ、及び縦額縁部材４３２の係合壁部４３２ｆにビスカバー４３３，４３４をそれぞれ装着することにより、額縁部材４３０の取付作業が終了する。
【００９３】
以上説明した本実施の形態２のように額縁部材４３０の取付方法を実施の形態１で説明した額縁部材３０の取付方法（上額縁部材３１を縦額縁部材３２よりも先に取り付ける）とは逆（縦額縁部材４３２を上額縁部材４３１よりも先に取り付ける）にした場合であっても、実施の形態１と同様の効果を奏する。
【００９４】
（実施の形態３の変形例）
実施の形態３では、新設枠４２０に第１係合受け部４４１を設け、縦額縁部材４３２に第１突起部４４２を設けていたが、逆に、新設枠に第１突起部を設け、縦額縁部材に第１係合受け部を設けた構成としても構わない。
同様に、実施の形態３では、縦額縁部材４３２に第２係合受け部４５１ａ，４５１ｂを設け、上額縁部材４３１に第２突起部４５２，４５３を設けていたが、逆に、縦額縁部材に第２突起部を設け、上額縁部材に第２係合受け部を設けた構成としても構わない。
【符号の説明】
【００９５】
１０  既設枠、２０，１２０，２２０，４２０  新設枠、２３ａ１  側壁（新設見付け壁部）、２５，１２５，２２５  新設上壁部、３０，３３０，４３０  額縁部材、３１，１３１，２３１，３３１，４３１  上額縁部材（第１額縁部材）、３１ａ，４３２ａ  接合壁部（第１連結壁部）、３１ｃ  内方見込み額縁部（第１挟持用壁部）、３１ｅ  外方見込み額縁部（第１挟持用壁部）、３２，３３２，４３２  縦額縁部材（第２額縁部材）、３２ａ，４３１ａ  接合壁部（第２連結壁部）、３２ｆ  インロウ用切欠、３２ｈ〜３２ｊ  支持片（第２挟持用壁部）、３５  キャップ部材（第２挟持用壁部）、４０，１４０，２４０，４４０  第１仮固定部、４１，１４１，２４１，４４１  第１係合受け部、４２，１４２，２４２，４４２  第１突起部、５０，３５０  第２仮固定部、５１ａ，５１ｂ，３５１  第２係合受け部、５２，５３，３５２  第２突起部、６０，７０  連結ネジ（連結具）
【図１】
0006599731.tif 000002
【図２】
0006599731.tif 000003
【図３】
0006599731.tif 000004
【図４】
0006599731.tif 000005
【図５】
0006599731.tif 000006
【図６】
0006599731.tif 000007
【図７】
0006599731.tif 000008
【図８】
0006599731.tif 000009
【図９】
0006599731.tif 000010
【図１０】
0006599731.tif 000011
【図１１】
0006599731.tif 000012
【図１２】
0006599731.tif 000013
【図１３】
0006599731.tif 000014
【図１４】
0006599731.tif 000015
【図１５】
0006599731.tif 000016
【図１６】
0006599731.tif 000017
【図１７】
0006599731.tif 000018
【図１８】
0006599731.tif 000019
【図１９】
0006599731.tif 000020
【図２０】
0006599731.tif 000021
【図２１】
0006599731.tif 000022
【図２２】
0006599731.tif 000023
【図２３】
0006599731.tif 000024